(57)【要約】      （修正有）【課題】発光手段を有しながらも任意の場所で使用可能な膜構造体を提供する。【解決手段】内部に導入した気体により所定の形状に膨張しうるバルーン部１１と、バルーン部１１内に配設され、バルーン部１１の内部を照らしうる発光部１２とを備える膜構造体１０であって、バルーン部１１は気密性を有する素材により形成され、発光部１２は充電しうる電源供給部を備える。【選択図】図１
0003194747.tif 000002
【実用新案登録請求の範囲】
【請求項１】
内部に導入した気体により所定の形状に膨張しうるバルーン部と、発光部とを備える膜構造体であって、上記バルーン部は気密性を有する素材により形成され、上記発光部は充電しうる電源供給部を備えることを特徴とする膜構造体。
【請求項２】
上記素材は、気密性を有する熱可塑性樹脂であることを特徴とする請求項１記載の膜構造体。
【請求項３】
上記発光部は、ＬＥＤで構成されていることを特徴とする請求項１記載の膜構造体。
【請求項４】
上記電源供給部は、外部ＵＳＢ端子を備えることを特徴とする請求項１記載の膜構造体。
【請求項５】
広告用バルーンであることを特徴とする請求項１から４のいずれか１項に記載の膜構造体。
【考案の詳細な説明】
【技術分野】
【０００１】
本考案は、膜構造体に係り、特に発光手段を有する膜構造体に関するものである。
【背景技術】
【０００２】
現在、内部に導入した気体により膨張して所定の形状を形成しうる膜構造体は様々な使用態様がなされているが、一例として、広告用バルーンにつき、本考案の背景技術について説明する。
【０００３】
従来、広告用バルーンは数多く知られており、特に発光手段を有する広告用バルーンは優れた広告効果を有することから、需要が高まっている。
しかし、発光手段を有する広告用バルーンは、発光手段への電源供給が必要であることから、広告用バルーンの使用可能な場所が限られるという不具合を生じていた。
【０００４】
また、従来の広告用バルーンは、耐久性の点から布等の気密性の低い素材で形成し、送風機により内部の圧力を高めて形状を保つ方式を採用することが多かった。従って、送風機への電源供給が必要となり、広告用バルーンの使用可能な場所が限られるという同様の不具合が生じていた。
【０００５】
本件出願人は、このような観点から特許文献を調査し、以下のような特許文献を抽出した。しかしながら、いずれの公報所載の技術も、上記不具合を解決するには至っていない。
【特許文献１】実用新案登録第３１９０２３６号公報
【特許文献２】特開２０１３−２３１９６９号公報
【特許文献３】実用新案登録第３１５０１９８号公報
【特許文献４】特開平９−２７４４６０号公報
【特許文献５】特開平８−６３１１４号公報
【考案の開示】
【考案が解決しようとする課題】
【０００６】
本考案は、以上のような従来からの不具合を解決するためのものであって、その課題は、発光手段を有しながらも任意の場所で使用可能な膜構造体を提供することにある。
【課題を解決するための手段】
【０００７】
上記課題を解決するために、請求項１に記載の考案にあっては、内部に導入した気体により所定の形状に膨張しうるバルーン部と、発光部とを備える膜構造体であって、上記バルーン部は気密性を有する素材により形成され、上記発光部は充電しうる電源供給部を備えることを特徴とする。
【０００８】
従って、上記バルーン部に導入された気体の圧力を保つことができると共に、上記発光部は充電された上記電源供給部から電源を得ることができる。
【０００９】
請求項２に記載の考案にあっては、上記素材は、気密性を有する熱可塑性樹脂であることを特徴とする。
【００１０】
従って、上記膜構造体を熱可塑性樹脂で形成することができる。
【００１１】
請求項３に記載の考案にあっては、上記発光部は、ＬＥＤで構成されていることを特徴とする。
【００１２】
従って、上記膜構造体はＬＥＤにより発光することができる。
【００１３】
請求項４に記載の考案にあっては、上記電源供給部は、外部ＵＳＢ端子を備えることを特徴とする。
【００１４】
従って、上記電源供給部は外部ＵＳＢ端子より充電することができる。
【００１５】
請求項５に記載の考案にあっては、広告用バルーンであることを特徴とする。
【００１６】
従って、上記膜構造体は、上記バルーン部に導入された気体の圧力を保つことができると共に、上記発光部は充電された上記電源供給部から電源を得ることができる広告用バルーンとなる。
【考案の効果】
【００１７】
請求項１に記載の膜構造体にあっては、上記バルーン部に導入された気体の圧力を保つことができると共に、上記発光部は充電された上記電源供給部から電源を得ることができるので、発光手段を有しながらも任意の場所で使用可能な膜構造体を提供することができる。
【００１８】
請求項２に記載の膜構造体にあっては、熱可塑性樹脂で形成することができるので、生産時には加工しやすく使用時には弾性及び耐久性を有する膜構造体を提供することができる。
【００１９】
請求項３に記載の膜構造体にあっては、ＬＥＤにより発光することができるので、消費電力が小さく長時間発光可能な膜構造体を提供することができる。
また、ＬＥＤによる発光は発熱量が少ないために、熱可塑性樹脂で形成された上記素材の変形を防止する効果も奏する。
【００２０】
請求項４に記載の膜構造体にあっては、上記電源供給部は外部ＵＳＢ端子より充電することができるので、パソコン等の身近にある機器から充電可能な膜構造体を提供することができる。
【００２１】
請求項５に記載の膜構造体にあっては、発光手段を有しながらも任意の場所で使用可能な広告用バルーンを提供することができる。
【図面の簡単な説明】
【００２２】
【図１】本考案に係る膜構造体の一実施の形態を示した斜視図である。
【図２】本考案に係る膜構造体の一実施の形態において、図１に示す発光部の平面図である。
【考案を実施するための最良の形態】
【００２３】
以下、添付図面に示す実施の形態に基づき、本考案を詳細に説明する。
図１に示すように、本考案の一実施の形態に係る膜構造体１０は、内部に導入した気体により所定の形状に膨張しうるバルーン部１１と、発光部１２とを備える。
【００２４】
また、上記バルーン部１１は気密性を有する素材１３により形成され、上記発光部１２は充電しうる電源供給部（図示せず）を備える。上記素材１３は、気密性を有する熱可塑性樹脂である。
また、上記発光部１２は、ＬＥＤ１４で構成されている。上記電源供給部は、外部ＵＳＢ端子１５を備える。
【００２５】
また、本考案の実施の形態において、上記膜構造体１０は、広告用バルーンとして形成されている。
【００２６】
本実施の形態に係る膜構造体１０の構成について、添付図面を用いてより詳細に説明する。
図１に示すように、上記バルーン部１１は全体略円筒形状に形成され、上記バルーン部１１の頂部には、空気栓１６が設けられている。
【００２７】
また、図１及び図２に示すように、上記バルーン部１１の底面に設けられた上記発光部１２は、基板１９と、ＬＥＤ１４と、電源供給部（図示せず）と、上記基板１９を覆う反射板１７により構成されている。上記基板１９は上記バルーン部１１の外径と略同一寸法で、所定の厚さ寸法を有する円盤により形成されている。
上記ＬＥＤ１４は、白色の高輝度ＬＥＤを採用し、上記基板１９の外周端から所定間隔内方へ離間した同心円上に等しい間隔で１０箇所、上記基板１９上に配置固定されている。上記基板１９の底面には、上記ＬＥＤ１４の発光を制御しうるタクタイルスイッチ（図示せず）が設けられている。
【００２８】
また、上記電源供給部は、リチウムイオンポリマー電池（図示せず）により構成されている。本実施の形態においては、電圧３．７Ｖ、容量７５０ｍＡｈの特性を有する。
また、上記反射板１７には、上記ＬＥＤ１４の配置箇所に対応して１０個の凹状孔部１８が設けられ、上記反射板１７の表面は光を反射しうるアルミニウム蒸着膜で形成されている。
【００２９】
また、上記素材１３は、気密性の高い熱可塑性樹脂である塩化ビニル樹脂を採用している。
【００３０】
本実施の形態に係る膜構造体１０の作用について、添付図面を用いて説明する。
本実施の形態に係る膜構造体１０を使用する場合には、空気栓１６より空気等の気体を導入しバルーン部１１を膨張させ、所定の形状を形成させる。また、発光部１２の底面にあるタクタイルスイッチを押すと、電源供給部を構成するリチウムイオンポリマー電池から電源が供給され、ＬＥＤ１４を発光させることができる。
従って、本実施の形態に係る膜構造体１０は、地上、中空を問わず任意の場所でＬＥＤ１４を発光させて使用することができる。特に、上記膜構造体１０を広告用バルーンとして使用する場合には、任意の場所での広告効果が期待できる。
【００３１】
また、本実施の形態に係る電源供給部を構成するリチウムイオンポリマー電池は、上記電源供給部に設けられた外部ＵＳＢ端子１５により充電を行うことが可能であり、電池残量のない状態から平均約２時間半で満充電となる。
従って、パソコン等の身近にある機器から短時間で充電することができる。
【００３２】
一方、上記ＬＥＤ１４を１０個使用した本実施の形態においては、上記ＬＥＤの消費電力が小さいので、上記リチウムイオンポリマー電池は最大約１２時間の連続使用が可能である。
従って、上記の通り短時間の充電にもかかわらず、長時間発光させることができる。特に、上記膜構造体１０を広告用バルーンとして使用する場合には、例えば、営業時間後の短時間に充電することができ、翌日の営業時間中に連続して発光させることができる。
【００３３】
本実施の形態に係るバルーン部１１は、全体略円筒形状に形成されている場合を例に説明したが、上記構成に限定されず、他の形状であってもよい。
また、本実施の形態に係る素材１３は、熱可塑性樹脂であり、特に塩化ビニル樹脂である場合を例に説明したが、上記構成に限定されず、気密性の高い種々の合成樹脂で構成されていればよい。
【００３４】
また、本実施の形態に係る発光部１２は、ＬＥＤ１４で構成され、バルーン部１１の底面に設けられている場合を例に説明したが、発光素子で構成されていればよく、バルーン部１１の任意の位置に設けることができる。
また、上記電源供給部は、外部ＵＳＢ端子を備える場合を例に説明したが、外部電源手段と接続できる端子を備えていればよい。特に、防水仕様の端子を備えることで、膜構造体１０は屋外での使用が可能となる。
【００３５】
また、本実施の形態に係る膜構造体１０は、広告用バルーンである場合を例に説明したが、上記実施の形態に限定されず、内部に導入した気体により膨張して所定の形状を形成しうる膜構造体であれば、例えば、玩具、雑貨等にも広く適用することができる。
【産業上の利用可能性】
【００３６】
本考案は、広告用バルーン等の膜構造体に広く適用可能であり、産業上利用可能性を有している。
【符号の説明】
【００３７】
１０：膜構造体
１１：バルーン部
１２：発光部
１３：素材
１４：ＬＥＤ
１５：外部ＵＳＢ端子
１６：空気栓
１７：反射板
１８：凹状孔部
１９：基板
【図１】
0003194747.tif 000003
【図２】
0003194747.tif 000004
【手続補正書】
【提出日】平成26年10月7日(2014.10.7)
【手続補正１】
【補正対象書類名】実用新案登録請求の範囲
【補正対象項目名】請求項１
【補正方法】変更
【補正の内容】
【請求項１】
内部に導入した気体により所定の形状に膨張しうるバルーン部と、上記バルーン部内に配設され、上記バルーン部の内部を照らしうる発光部とを備える膜構造体であって、上記バルーン部は気密性を有する素材により形成され、上記発光部は充電しうる電源供給部を備えることを特徴とする膜構造体。